(57)【要約】      （修正有）【課題】刷毛密集型の歯ブラシ構造を提供する。【解決手段】主に一つの頭部１、一つの刷毛セット３で構成する刷毛密集型の歯ブラシ構造である。頭部１は一つの植毛部１１１を具有する。刷毛セット３を植毛部１１１に植え、刷毛セット３は少なくとも３５束の刷毛束３１を含み、各一つの刷毛束３１は少なくとも４５本の刷毛３１１を含む。それにより、十分に柔らかい軟毛を使用することで歯茎を傷つけない効果に達し、及び刷毛が大量且つ密集した設計により、確実に歯垢を取り除ける効果を得る。【選択図】図２
0003205335.tif 000002
【実用新案登録請求の範囲】
【請求項１】
一つの頭部、一つの刷毛セットを含み、
該頭部は一つの植毛部を具有し、及び、
該刷毛セットを該植毛部に植え、該刷毛セットは少なくとも３５束の刷毛束を含み、各一つの該刷毛束は少なくとも４５本の刷毛を含むことを特徴とする刷毛密集型の歯ブラシ構造。
【請求項２】
前記該植毛部の長さは２２ｍｍ、幅は１６ｍｍであることを特徴とする請求項１記載の刷毛密集型の歯ブラシ構造。
【請求項３】
前記該頭部は多数面を含み、該植毛部は即ち該多数面の中の一つの内面であることを特徴とする請求項２記載の刷毛密集型の歯ブラシ構造。
【請求項４】
前記各該刷毛束の根部の間は互いに間隔を開けることを特徴とする請求項１記載の刷毛密集型の歯ブラシ構造。
【請求項５】
前記各一つの該刷毛の直径は０．１５ｍｍ〜０．２０ｍｍとすることを特徴とする請求項１記載の刷毛密集型の歯ブラシ構造。
【請求項６】
前記各一本の該刷毛の直径Ｄ３が全て０．１５ｍｍ〜０．２０ｍｍとすることを特徴とする請求項１記載の刷毛密集型の歯ブラシ構造。
【請求項７】
前記各一本の該刷毛の刷毛の長さは少なくとも１３ｍｍとすることを特徴とする請求項１記載の刷毛密集型の歯ブラシ構造。
【請求項８】
前記各一本の該刷毛はナイロンの刷毛とすることを特徴とする請求項１記載の刷毛密集型の歯ブラシ構造。
【請求項９】
前記該頭部の一端は楕円形であることを特徴とする請求項１記載の刷毛密集型の歯ブラシ構造。
【請求項１０】
更に一つのハンドルを含み、該頭部の一端はフリーエンドとし、該ハンドルは該頭部の別端に接続することを特徴とする請求項１記載の刷毛密集型の歯ブラシ構造。
【考案の詳細な説明】
【技術分野】
【０００１】
本考案は歯ブラシの構造に関し、特に一種の刷毛密集型の歯ブラシ構造に関する。
【背景技術】
【０００２】
歯ブラシは、主に刷毛を使って歯の上を往復して動かすことで、歯をきれいにする目的に達する。しかし、やや固めの刷毛では、口腔内にある柔らかい組織、特に歯茎にダメージを与える。やや固めの刷毛が日々与えるダメージにより、歯茎が次第に萎縮する状況を招く。
【０００３】
このような問題を解決するために、市場では柔らかめの歯ブラシが販売されている。しかし使用してみると、柔らかさが足りない刷毛では、尚も歯茎を傷つけることになり、歯茎が萎縮するのは時間の問題である。しかし、仮に本当に柔らかさが十分な歯ブラシでは、刷毛が柔らかすぎて、歯に付いた歯垢を取り除きにくい問題が生じることを鑑みて、更なる改善が必要であった。
【先行技術文献】
【特許文献】
【０００４】
【特許文献１】実用新案登録第3124586号公報
【考案の概要】
【考案が解決しようとする課題】
【０００５】
前記公知構造の欠点を解決するため、本考案は十分に柔らかい刷毛を使用して歯茎を傷つけない上に、更に刷毛の量が多く、且つ密集する設計であるため、尚も確実に歯垢を取り除くことのできる刷毛密集型の歯ブラシ構造を提供することを主な課題とする。
【課題を解決するための手段】
【０００６】
前記課題を解決するために、本考案は刷毛密集型の歯ブラシの構造を提供するものである。それに含まれるのは一つの頭部及び一つの刷毛セットであり、該頭部は一つの植毛部を具有する。該刷毛セットを該植毛部に植え、該刷毛セットは少なくとも３５束の刷毛束を含み、各一つの該刷毛束は少なくとも４５本の刷毛を含む。
【０００７】
従来技術と比べ、本考案は下記の効果を具有する。十分に柔らかい刷毛を大量且つ密集して植毛部内に集めることを介し、例え刷毛が十分に柔らかくても、大量且つ密集した設計を利用して、往復して磨く回数を増やし、及び小刻みに磨くことにより、十分に柔らかい毛を使用することができるために、歯茎を傷つけることがない上に、更に刷毛が大量且つ密集した設計により、尚も確実に歯垢を取り除ける目的に達する。
【考案の効果】
【０００８】
本考案は十分に柔らかい刷毛を大量且つ密集して植毛部内に集めることを介し、歯茎を傷つけることなく、確実に歯垢を取り除ける効果を得る。
【図面の簡単な説明】
【０００９】
【図１】本考案の歯ブラシ構造の局部立体図である。
【図２】本考案の図１の俯瞰略図である。
【図３】本考案の歯ブラシ構造の頭部の端面図である。
【図４】本考案の歯ブラシ構造の刷毛束の俯瞰拡大図である。
【考案を実施するための形態】
【００１０】
以下、本考案の構造と特徴および効果を、最良実施例と図面を参照しながら詳細に説明し、図面は説明するためのものであり、本考案を制限するものではない。
【実施例】
【００１１】
本考案は一種の刷毛密集型の歯ブラシ構造である。図１に示すように、主に刷毛を使って、歯の上を往復して動かすことで、歯をきれいにする目的に達する。
【００１２】
図１〜図４に示すように、本考案の歯ブラシ構造に含まれるのは一つの頭部１及び一つの刷毛セット３であり、実際に使用する際には、もちろん更に一つのハンドル２を含む。その中、頭部１に含まれるのは、図３に示すように、互いに相対する内面１１と外面１２であり、且つ頭部１の一端は一つのフリーエンド１３とし、頭部１の別端はハンドル２と接続する。
【００１３】
頭部１は一つの植毛部１１１を具有し、そこに刷毛を植える。植毛部１１１は頭部１の如何なる場所に位置することができる。本実施例では、頭部１の内面１１に位置する例として説明を行う。つまり頭部１の内面１１を植毛部１１１とする(図３を参照)。
【００１４】
刷毛セット３を植毛部１１１に植えることで、本考案の歯ブラシの構造を構成する。その中で刷毛セット３は少なくとも３５束(つまり３５束以上)の刷毛束３１を含み、各一つの刷毛束３１は少なくとも４５本(つまり４５本以上)の刷毛３１１を含むことで、刷毛が密集して植毛部１１１の内側に集合し、刷毛密集型の本考案の歯ブラシの構造を形成する。このようにすれば、例え使用する刷毛が十分に柔らかい毛を使っていても、従来技術では、歯に付いた歯垢を取り除きにくい問題があったが、しかし、大量且つ密集した設計を利用して、往復して磨く回数を増やし、及び小刻みに磨くことにより、例え十分に柔らかい毛を使用したとしても、尚も確実に歯垢を取り除ける目的に達する。
【００１５】
この他、本考案の歯ブラシの構造は、更に下記の他の構造を具有する：
【００１６】
一、頭部１の植毛部１１１は、図２に示すように、更に長さと幅を定義することができる。植毛部１１１の長さＤ１は２２ｍｍとし、幅Ｄ２は１６ｍｍとする。前記刷毛セット３は長さ、幅は２２ｍｍ*１６ｍｍの面積内に植えている。本実施例において、頭部１のフリーエンド１３が口腔内の柔らかい組織を傷つけるのを避けるために、頭部１のフリーエンド１３を楕円状に設計したため、植毛部１１１の面積もそれに合わせて矩形から楕円形に修正し、二つの角を減少する必要がある。
【００１７】
二、図１及び図３に示すように、各一つの刷毛束３１は一つの根部を具有し、各刷毛束３１の根部の間は互いに間隔を開けることができる。各刷毛束３１の根部は互いに間隔を開けているといえども、各刷毛束３１の根部に相対する接触部(歯に当たる部分)は間隔を開けていない。その原因として、刷毛３１１は各刷毛束３１の根部は束ねているが、根部から接触部の間では、束ねているものが次第に拡散しているため、各刷毛束３１の接触部の間は、密集した状態になり、間隔が開いていない。
【００１８】
三、図４に示すように、各一本の刷毛３１１はナイロンの材質で作られたナイロンの刷毛であるため、柔らかくて弾力のある強靭な特性を具有し、刷毛３１１が十分に柔らかい。その上、刷毛３１１の直径Ｄ３は０．１５ｍｍ〜０．２０ｍｍと大変細いため、特に歯茎を傷つけない。最良実施例として、各一本の刷毛３１１の直径Ｄ３が全て０．１５ｍｍ〜０．２０ｍｍとし、毛先の部分を細く削らないため、更に歯茎を傷つけることなく、且つ歯間の掃除に役立つ。更に毛先の部分を削ることにより、毛先にまで力が伝わらないという問題も発生しない。
【００１９】
四、図３に示すように、各一本の刷毛３１１の刷毛の長さは少なくとも１３ｍｍとし、且つこれらの刷毛の長さＤ４はちょうど前記の各データ(刷毛セット３に含まれるのは、
少なくとも３５束の刷毛束３１、各一つの刷毛束３１に含まれる少なくとも４５本の刷毛３１１、植毛部１１１の長さＤ１と幅Ｄ２はそれぞれ２２ｍｍと１６ｍｍ、各一本の刷毛３１１の直径Ｄ３は０．１５ｍｍ〜０．２０ｍｍ、及び各一本の刷毛３１１の刷毛の長さＤ４は少なくとも１３ｍｍなど）とマッチすることで、刷毛３１１は必要とする柔軟度と弾力のある強靭さを具有する。使用する際に歯茎を傷つけず、また密集しているために確実に歯垢を取り除くことができ、更に直径Ｄ３が十分に細いために、歯間を掃除することもできる。
【００２０】
以上の実施例による本考案の詳細な説明は本考案の範囲を制限するものではない。本技術に熟知する者は、固定構造の変更などの適当な変更および調整を行うことができ、これらの変更および調整を行っても本考案の重要な意義は失われず、本考案の範囲に含まれる。
【符号の説明】
【００２１】
１  頭部
１１  内面
１１１  植毛部
１２  外面
１３  フリーエンド
２  ハンドル
３  刷毛セット
３１  刷毛束
３１１  刷毛
Ｄ１  長さ
Ｄ２  幅
Ｄ３  直径
Ｄ４  刷毛の長さ
【図１】
0003205335.tif 000003
【図２】
0003205335.tif 000004
【図３】
0003205335.tif 000005
【図４】
0003205335.tif 000006